(57)【要約】【課題】  従来，画面サイズが限られる携帯電話で文書を表示をすると，一度にすべての情報を表示できないため，内容を把握するには，ボタン操作や画面の切替が必要という課題があった。【解決手段】  文書から自動的に漢字Indexを作成して表示する。まず入力プロセス１０１に入力された文書において文字列抽出プロセス１０２で文字列を文字種ごとに分割して選択し凝縮文を作成する。凝縮文から文字列解析プロセス１０４で優先順位を付ける。文字列解析結果から漢字Index生成プロセス１０６により優先順に必要な文字数m×n文字を抽出し，m行n列に２次元に配置して漢字Indexを作成する。作成した漢字Indexを出力プロセス１０７に出力する。【選択図】  図１
2005228016.tif 000002
【特許請求の範囲】
【請求項１】
複数の文字種が含まれる文書を情報端末に表示する方法であって，
予め、複数の文字種のうち指定された所定の文字種を記憶装置に記憶しておき、
前記文書から前記所定の文字種の文字を抽出し、
抽出された文字のうち、当該文書の特徴を示す文字を特定し、
特定された文字を所定の配置で表示することを特徴とする文字表示方法。
【請求項２】
請求項１に記載の文字表示方法において、
前記所定の文字種には、同一の文字の種類のうち予め指定された文字が含まれることを特徴とする文字表示方法。
【請求項３】
請求項１に記載の文字表示方法において、
前記所定の文字には、表意文字が含まれることを特徴とする文字表示方法。
【請求項４】
請求項１に記載の文字表示方法において、
前記所定の文字には、アルファベットのうち子音を示す文字が含まれることを特徴とする文字表示方法。
【発明の詳細な説明】
【技術分野】
【０００１】
本発明は、情報処理装置（特に、携帯電話を含む携帯端末）での文字の表示を行う技術に関する。その中でも特に、文書に含まれ、その文書の特徴を示す文字の表示に関する。この文書の特徴を示す文字には、漢字、一部のハングルなどの表意文字、アルファベットのｂ、ｃなどの子音を示す文字が含まれる。
【背景技術】
【０００２】
近年，携帯電話その他携帯端末はデータ転送技術を利用することによって携帯電話その他携帯端末間で電子メールの送受信やWEBの閲覧が可能となってきている。そのため文字種としてアルファベットのみならず，漢字を含めた日本語入力を可能とする装置が一般的である。このように文字入力，文字表示に高度な機能が要求されるようになってきている一方で小型・軽量化の要求も高まっている。このため限られた画面サイズでいかに効率良く文書を漢字Index表示し，内容を把握するかが，要求を満たすための重要な鍵となっている。
【０００３】
従来の文書の漢字Index作成方法は検索手法の一つとして特許文献１「特開2001-344282」のような文字種分割・重複排除・ひらがな排除によって凝縮文を作成する手法も提案されている。この手法を使うことで，文書からの漢字抽出が可能である。
【０００４】
また，非特許文献１「PCによる視覚の誘導場の心理学的測定  −塗りつぶしと線幅の効果−」信学技報 PRMU2002-106， NC2002-59 (2002/10/17)で述べられているように，内部を塗りつぶした図形は視覚の誘導場が強く，視線を惹きつけるという報告もある。つまり漢字には視覚を誘導する効果がある。
【０００５】
また，非特許文献２である石川九楊著，NHK出版，「NHK人間講座  日本語を問い直す」（2003/11/25） 17-20頁では，漢字は表意文字で「書き言葉」が中心の「文字を聞き，文字を話す」言語であり，アルファベットは表音文字で「話し言葉」が中心の「声を聞き、声を読む」言語で，この違いが，アジアとヨーロッパとの文化の違いの根底にあるという報告もある。つまり漢字は該文字が意味を持ち，文字で意味を伝える効果がある。
【０００６】
また，非特許文献３である藤田知加子著，心理学研究，「日本語の漢字仮名混じり語の認知ユニットに関する検討」（1999）70巻，38-44頁で前提として述べられているように，仮名では形態→音韻→意味の順に認知されるのに対し，漢字は形態・音韻・意味の認知過程が同時に処理され，単語全体の視覚的特徴に関する情報も，単語認知において利用されているという報告もある。つまり漢字には単語認知の助けとなる効果がある。
【０００７】
【特許文献１】特開2001-344282号公報
【０００８】
【非特許文献１】PCによる視覚の誘導場の心理学的測定
【非特許文献２】NHK人間講座  日本語を問い直す
【非特許文献３】日本語の漢字仮名混じり語の認知ユニットに関する検討
【発明の開示】
【発明が解決しようとする課題】
【０００９】
問題点は，インターネットへのアクセスやアドレス帳，メール一覧などを携帯電話その他携帯端末の限られた画面サイズで表示する際に，視認性が良くないということである。従来は絵文字を使用したり，文章の一部だけを表示するなどの工夫が行われていたが，限られた画面サイズで表示する際に画面を頻繁に切り替えるなどの必要が生じるためである。また，情報量が膨大になると，その内容を把握するのに時間を要する。そこで本発明では，アドレス帳，メールなどのリスト一覧やメール本文やブラウザ端末で表示する文書の漢字Indexを自動的に作成し，コンパクトにすることによって，上記問題点を改善し，内容の把握を容易にすることを目的とする。
【課題を解決するための手段】
【００１０】
本発明では、情報処理装置に、表示すべき文書のうち、その文書の特徴を示す文字を表示する。特に、本発明では、特徴を表す文字種（文字種には、同一の文字種で構成される言語などでは予め指定された文字が含まれる）を予め記憶装置に記憶しておき、文書に含まれる文字のうち、特徴を文字種であって当該文書の内容に関する文字を抽出し、これを表示する。この文字種には、漢字などの表意文字が含まれる。
【００１１】
より具体的な対応は、予め携帯電話その他携帯端末のような限られた画面サイズの中に文書を漢字Index表示することで，一覧性，視認性および印象の相似性の高いIndexを利用することにより，視覚的な内容推察を可能にし，情報把握の時間短縮およびアクセサビリティの向上を図る。
【００１２】
本発明は，文書から文字列を抽出するプロセスと，表示用の漢字Indexを作成するプロセスの２つからなる。文字列抽出プロセスは画数法や画素数法によるもの従来の手法によるもので，メール本文やWEBコンテンツなどの文書から，漢字Index対象となる文字を自動抽出し，文字種分割・重複排除・ひらがな排除によって凝縮文を作成する。凝縮文として抽出した文字列は，使用頻度に応じてソートされる。Index表示文字列選択プロセスでは，ソートされた優先順位において上位からm×n文字を，この文書の漢字Indexとして採用する。Index表示文字列選択の結果得られた文字列を，表示用Index作成プロセスで視覚的に縦横に並べて印鑑の様に配置して表示することで，文書を１つのアイコンの様に視覚的に表示する。
【発明の効果】
【００１３】
本発明により，携帯電話の限られた画面サイズの中に，従来の１次元リスト表示よりも多くのリストを表示することが可能となり，一覧性，視認性が向上する。
【発明を実施するための最良の形態】
【００１４】
以下，本発明の第一の実施例を図１の処理の流れと図２の携帯電話の構成図を用いて詳細に説明する。
【００１５】
以下の実施例において，携帯情報端末とは，携帯電話，PDAなどの携帯機器を指す。カーソルとは，画面の中の複数の漢字Indexの中からひとつの漢字Indexを選択するための印を指す。クリックとは，漢字Indexにカーソルがフォーカスされたとき選択する入力を指す。図２は本発明の一実施形態を示す携帯電話２００の構成図である。携帯電話は，表示部２０１，入力部２０２，通信部２０３，演算部２０４，記憶装置２０５，Index文字選択プログラム２０６，Index表示プログラム２０７，メール機能２０８，WEBブラウザ２０９，データフォルダ２１０を具備している。携帯電話２００はインターネット網２１１を介して，サーバA ２１２，サーバB ２１３と接続される。ここでサーバA，Bは，テキスト情報が含まれていればWEBサーバ，メールサーバ，ファイルサーバなどに置き換えてもよい。
【００１６】
本発明の携帯電話２００は，本来の機能である通信に加え，メール２０８，WEBブラウザ２０９，サーバA ２１２やサーバB ２１３から提供される情報の取得などを取り扱うものとする。
【００１７】
演算部２０４がIndex文字選択プログラム２０６を起動すると，記憶部２０５に格納されているメールやアドレス帳の情報から漢字Indexを作成して，携帯電話２００の表示部２０１で画面に表示される。
【００１８】
Index文字選択プログラム２０６の処理の流れを説明する。
入力プロセス１０１では，演算部２０４がメール２０８，WEBブラウザ２０９，データフォルダ２１０に格納したデータおよびサーバA ２１２やサーバB ２１３が提供するデータを入力文書として記憶部２０５に読み込む。図４に入力文書の例を示す。文字列抽出プロセス１０２では，演算部２０４が入力プロセス１０１で入力した文書から漢字を抽出する。図５に文字列抽出結果である漢字だけの文の例を示す。文字列解析プロセス１０４では，抽出文字列を出現頻度の高い順にソ−トして凝縮文を作成する。図６に文字列解析結果である凝縮文の例を示す。Index表示文字列選択プロセス１０４では凝縮文から漢字Indexに使う文字を選択する。図７にIndex対象文字選択結果の例を示す。
【００１９】
演算部２０４が実行するIndex表示プログラム２０７の処理の流れを説明する。
演算部２０４がIndex表示プログラム２０７を起動し，Index対象文字選択結果を読み込む。表示用Index作成プロセス１０５ではIndex対象文字を２行２列に４文字並べた配置で表示用Indexを作成する。図８に表示用Index作成結果の例を示す。出力プロセス１０６では表示用Indexを携帯電話の表示部２０１に出力する。携帯電話の表示部２０１は漢字Indexを画面に表示する。
【００２０】
画面に表示された漢字Indexをユーザがクリックすると，該漢字Indexの元となった入力文書を表示する。図９にユーザが漢字Indexをクリックしたときの例を示す。
【００２１】
カーソルの移動およびクリックは十字キーによる移動，決定ボタンによるクリックの他，配置を携帯電話２００のダイヤルキーと１対１で対応させることで選択・決定することも容易に可能である。
【００２２】
第一の実施例では携帯電話２００の中でIndex文字選択および表示用Indexの作成を行う例を示したが，Index文字選択と表示用Indexの作成は携帯電話２００とサーバに分けることで，サーバA ２１２やサーバB ２１３のコンテンツに対応する漢字Indexをタイトルのようにサービスすることも可能である。
以下，本発明の第ニの実施例について，コンテンツ管理サーバ３０８を使った例を図３を用いて説明する。
【００２３】
コンテンツ管理サーバ３０８の内部にIndex表示対象文字生成のための情報処理可能な構成として通信部３０９，演算部３１０，記憶部３１１および記憶部３１１に格納されたコンテンツ３１２，Index文字選択プログラム３１３を具備し，図１に示したIndex生成の流れにおける，Index対象文字列選択までのプロセスを実行し，作成したIndex対象文字列を対応するWEBデータやコンテンツに添付して情報端末３００に送付する。情報端末３００では，受け取ったIndex対象文字列を用いて，図１に示した残りのプロセスである表示用Index作成プロセス１０５でIndex表示プログラム３０６を実行し，表示用Indexを作成する。出力プロセス１０６により表示部３０１に表示する。
【００２４】
第一の実施例では携帯電話２００の中でIndex文字選択および表示用Indexの作成を行う例を示し，第二の実施例ではコンテンツ管理サーバ３０８でIndex文字選択を行い，情報端末３００で表示用Indexの作成を行う例を示したが，コンテンツ管理サーバ３０８の記憶部３１１にIndex文字選択プログラム３１３およびIndex表示プログラム３０６がある場合も第一の実施例と同様に実現可能である。これにより，漢字Indexに対応していない携帯電話や情報端末のユーザに対しても，漢字Indexの表現を提供することができる。  WEBデータについてもWEBサーバによって同様に漢字Indexのサービスが可能である。
第一の実施例および第二の実施例では，漢字Indexの表示方法は横書きの例を示したが，図１０の例のように文字列を並び替えて縦書き表示にすることも容易に実現可能である。縦書き表示では図１７の例のように，横方向に画面はスクロールし，各行においてカーソルが下端にある状態で，キー操作により，さらに下方向に移動しようとすると，その左隣の行の上端にカーソルが移動する。
【００２５】
第一の実施例および第二の実施例では，漢字Indexは２行２列で表示する例を示したが，これをm行n列の配列としてm×n文字の文字数で表示することも容易に実現可能である。特に図１１では３行３列での表示例を示す。
【００２６】
第一の実施例および第二の実施例では，一覧性，視認性および簡易要約効果による概要推察およびアクセサビリティの向上を図る例として，下記に挙げる項目も漢字Indexを作成する文書の対象に含む。
（１）携帯電話に格納されるアドレス帳（例を図１２に示す）
（２）携帯電話に格納されるメール一覧（例を図１３に示す）
（３）携帯電話に格納されるスケジュール
（４）携帯電話に格納されるメモ帳
（５）WEBコンテンツ：インターネットを経由して取得できるサーバA ２１２やサーバB ２１３が提供する情報。漢字Index毎に元になったコンテンツを対応させる。
（６）携帯電話間で通信される情報：例えば赤外線通信でのアドレス帳，メール，スケジュール，メモ帳のデータ。
（７）携帯電話のステータス情報：例えばマナーモード，サイレントモード，充電中，開閉状態，電波状況，バッテリ残量，電源のオン/オフ，外部メモリに格納された情報。
（８）地上波アナログ放送，地上波デジタル放送，ラジオ放送などの番組名，キーワード，曲名，文字放送などの情報。
【００２７】
また，図１３に示すように，送信者名とメール本文の漢字Indexは例えばボタン操作により前記表示方法を切り替えて表示することも可能である。
また，図１８および図１９に示すように，漢字Indexの配置と携帯電話のダイヤルキーを１対１に対応させ，ダイヤルキーを押すとそれに対応した漢字Indexを選択・決定することも可能である。特に図１８では３行３列Indexの表示例を示す。図１９では２行３列Indexの４行３列表示の例を示す。このように，２次元配置されたボタンとしては，携帯電話のダイヤルキーに限らず，パソコンのテンキーや電卓など，多くの情報端末に応用できる選択方法である。
【００２８】
また，第一の実施例および第二の実施例では視認性，一覧性の向上を図るために，隣り合う漢字Index同士を区別する方法として，下記方法が可能である。
（１）図１４の例のように該周囲を線で囲む。特に図１４では実線・二重線・破線・太線での表示例を示す。
（２）図１５の例のように囲む形状に関しては，多角形や円の枠線で囲まれる場合を含む。特に図１５では円・六角形・八角形・五角形の表示例を示す。
【００２９】
漢字Indexにより，図１６の例に示すように従来の携帯電話では６行でリスト表示していたメール一覧を，２行２列の４文字を使って作成した漢字Indexを携帯電話の画面で３行３列の配列で９つ配置して表示することで，一度に９件のリスト表示ができる。これによって一覧性，視認性が向上した。また，印象の相似性の高いIndexを利用することにより，視覚的な内容推察を可能にし，情報把握の時間短縮およびアクセサビリティの向上が図れる。
【産業上の利用可能性】
【００３０】
本発明では、ネットワークを介した情報通信に分野で利用可能である。
【図面の簡単な説明】
【００３１】
【図１】本発明の処理手順の実施の形態を示すブロック図である。
【図２】携帯電話での例である。
【図３】携帯端末とコンテンツ管理サーバによる例である。
【図４】入力文書の例である。
【図５】文字列抽出結果の例である。
【図６】文字列解析結果の例である。
【図７】漢字Index対象文字選択結果の例である。
【図８】横書きで漢字Indexを表示した例である。
【図９】ユーザが漢字Indexをクリックしたときの例である。
【図１０】縦書きで漢字Indexを表示した例である。
【図１１】３×３の９文字で漢字Indexを表示した例である。
【図１２】携帯電話のアドレス帳を漢字Index表示した例である。
【図１３】携帯電話のメール一覧を漢字Index表示した例である。
【図１４】枠線を使って漢字Indexを表示した例である。
【図１５】多角形の枠線を使って漢字Indexを表示した例である。
【図１６】従来のリスト表示と漢字Index表示を比較した例である。
【図１７】縦配列表示のときのカーソル移動の例である。
【図１８】漢字Indexと携帯電話のダイヤルキー対応の例である。
【図１９】漢字Indexと携帯電話のダイヤルキー対応の例である。
【図２０】漢字−画数対応表と漢字−画素数対応表の例
【図２１】配列A( i )への原文入力アルゴリズムの説明
【図２２】配列A( i )の内容例
【図２３】配列B( i , j )への対応表入力アルゴリズムの説明
【図２４】配列B( i , j )に格納した文字と画数の例
【図２５】配列C( i , j )へ漢字列・画数・出現順位・出現頻度を格納する漢字列抽出アルゴリズムの説明
【図２６】漢字列抽出プロセスにおける配列C( i , j )に格納された漢字列・画数・出現順位・出現頻度の例
【図２７】画数法による配列C( i , j )のソートアルゴリズムの説明
【図２８】画数法による配列C( i , 2 )を基にした配列C( i , j )のソート結果の例
【図２９】画数法による文字列解析結果のFIFOソートによる配列C( i , 3 )を基にしたソートアルゴリズムの説明
【図３０】画数法による文字列解析結果のFIFOソートによる配列C( i , 3 )を基にした配列C( i , j )のソート結果の例
【図３１】画数法による配列Cのソートアルゴリズムの説明
【図３２】画素数法による配列C( i , 2 )を基にした配列C( i , j )のソート結果の例
【図３３】画素数法による文字列解析結果のFIFOソートによる配列C( i , 2 )および配列C( i , 3 )を基にしたソートアルゴリズムの説明
【図３４】画素数法による文字列解析結果のFIFOソートによる配列C( i , 2 )および配列C( i , 3 )を基にした配列C( i , j )のソート結果の例
【図３５】FIFO法による配列Cのソートアルゴリズムの説明
【図３６】FIFO法による配列C( i , 3 )を基にした配列C( i , j )のソート結果の例
【図３７】Index表示文字列選択アルゴリズムの説明
【図３８】Index表示文字列選択における配列E( i )の内容例
【図３９】LIFO法による配列Cのソートアルゴリズムの説明
【図４０】LIFO法による配列C( i , 3 )を基にした配列C( i , j )のソート結果の例
【図４１】漢字列出現頻度を配列C( i , 4 )においてカウントするアルゴリズムの説明
【図４２】漢字出現頻度を配列C( i , 4 )に格納した配列C( i , j )の内容例
【図４３】重複漢字列を配列C( i , 4 )を基に除去するアルゴリズムの説明
【図４４】重複漢字列を配列C( i , 4 )を基に除去した配列C( i , j )の内容例
【図４５】頻度法による配列Cのソートアルゴリズムの説明
【図４６】頻度法による配列C( i , 4 )を基にした配列C( i , j )のソート結果の例
【図４７】Index作成結果の例(６)
【図４８】Index作成結果の例(７)
【図４９】Index作成結果の例(８)
【図５０】Unicode対応表の例
【図５１】Indexのm行n列表示におけるセンタリングによる改行表示のアルゴリズムの説明
【図５２】センタリングによる改行表示の例
【図５３】表音文字での文書の例
【図５４】表音文字での文字列抽出例
【図５５】表音文字でのIndex作成・表示例
【図５６】表音文字での対応表の例
【図５７】表音文字での配列B( i , j )の例
【図５８】表音文字におけるIndex文字選択アルゴリズムの説明
【図５９】リアルタイム入力によるIndex生成の例
【図６０】Index作成モード切替の例
【符号の説明】
【００３２】
101  入力
102  文字列抽出
103  文字列解析
104  Index表示文字列選択
105  表示用Index作成
106  出力
【図１】
2005228016.tif 000003
【図２】
2005228016.tif 000004
【図３】
2005228016.tif 000005
【図４】
2005228016.tif 000006
【図５】
2005228016.tif 000007
【図６】
2005228016.tif 000008
【図７】
2005228016.tif 000009
【図８】
2005228016.tif 000010
【図９】
2005228016.tif 000011
【図１０】
2005228016.tif 000012
【図１１】
2005228016.tif 000013
【図１２】
2005228016.tif 000014
【図１３】
2005228016.tif 000015
【図１４】
2005228016.tif 000016
【図１５】
2005228016.tif 000017
【図１６】
2005228016.tif 000018
【図１７】
2005228016.tif 000019
【図１８】
2005228016.tif 000020
【図１９】
2005228016.tif 000021
【図２０】
2005228016.tif 000022
【図２１】
2005228016.tif 000023
【図２２】
2005228016.tif 000024
【図２３】
2005228016.tif 000025
【図２４】
2005228016.tif 000026
【図２５】
2005228016.tif 000027
【図２６】
2005228016.tif 000028
【図２７】
2005228016.tif 000029
【図２８】
2005228016.tif 000030
【図２９】
2005228016.tif 000031
【図３０】
2005228016.tif 000032
【図３１】
2005228016.tif 000033
【図３２】
2005228016.tif 000034
【図３３】
2005228016.tif 000035
【図３４】
2005228016.tif 000036
【図３５】
2005228016.tif 000037
【図３６】
2005228016.tif 000038
【図３７】
2005228016.tif 000039
【図３８】
2005228016.tif 000040
【図３９】
2005228016.tif 000041
【図４０】
2005228016.tif 000042
【図４１】
2005228016.tif 000043
【図４２】
2005228016.tif 000044
【図４３】
2005228016.tif 000045
【図４４】
2005228016.tif 000046
【図４５】
2005228016.tif 000047
【図４６】
2005228016.tif 000048
【図４７】
2005228016.tif 000049
【図４８】
2005228016.tif 000050
【図４９】
2005228016.tif 000051
【図５０】
2005228016.tif 000052
【図５１】
2005228016.tif 000053
【図５２】
2005228016.tif 000054
【図５３】
2005228016.tif 000055
【図５４】
2005228016.tif 000056
【図５５】
2005228016.tif 000057
【図５６】
2005228016.tif 000058
【図５７】
2005228016.tif 000059
【図５８】
2005228016.tif 000060
【図５９】
2005228016.tif 000061
【図６０】
2005228016.tif 000062